(57)【要約】      （修正有）【課題】製作上の自由度の向上を図る折畳本を提供する。【解決手段】本の形状に折り畳んだ状態において背表紙に位置する背表紙片部３１と、一側縁部が背表紙片部３１の一側縁部に折曲部を介して連結され、本の形状に折り畳んだ状態において一の表紙に位置する第１の表紙片部３２と、第１の表紙片部の他側縁部から順次折曲部を介して連結され、本の形状に折り畳んだ状態において第１の表紙片部の内側に位置する複数の第１の内装片部３３ａ…３３ｆとを有する第１の折畳集合片部３と、一側縁部が背表紙片部の他側縁部に折曲部を介して連結され、本の形状に折り畳んだ状態において他の表紙に位置する第２の表紙片部４１と、第２の表紙片部の他側縁部に折曲部を介して連結され、本の形状に折り畳んだ状態において第２の表紙片の内側に位置する第２の内装片部４２とを有する第２の折畳集合片部４とを備えた構成になっている。【選択図】図１
0003142634.tif 000002
【実用新案登録請求の範囲】
【請求項１】
一列状に配置された複数の厚紙と、これらの各厚紙を連結するようにして当該各厚紙の表裏に貼り付けられた印刷用の薄紙とを有し、前記各厚紙に対応する部分によって形成された各片部を前記各厚紙の間の前記薄紙によって形成された折曲部を介して本の形状に折り畳むことが可能に構成された折畳本であって、
前記本の形状に折り畳んだ状態において背表紙の部位に位置する前記片部からなる背表紙片部と、一側縁部が前記背表紙片部の一側縁部に前記折曲部を介して連結され、前記本の形状に折り畳んだ状態において一の表紙の部位に位置する前記片部からなる第１の表紙片部と、この第１の表紙片部の他側縁部側に当該他側縁部から順次前記折曲部を介して連結され、前記本の形状に折り畳んだ状態において当該第１の表紙片部の内側に位置する前記片部からなる複数の第１の内装片部とを有する第１の折畳集合片部と、
一側縁部が前記背表紙片部の他側縁部に前記折曲部を介して連結され、前記本の形状に折り畳んだ状態において前記一の表紙に対して反対側の他の表紙の部位に位置する前記片部からなる第２の表紙片部と、この第２の表紙片部の他側縁部に前記折曲部を介して連結され、前記本の形状に折り畳んだ状態において当該第２の表紙片の内側に位置する前記片部からなる第２の内装片部とを有する第２の折畳集合片部とを備えていることを特徴とする折畳本。
【請求項２】
前記第１の折畳集合片部及び前記第２の折畳集合片部を一列状に開いた状態において、当該一列状に延在する方向の一方及び／又は他方の端部における当該方向に直交する幅方向の中央部に貫通孔が形成されていることを特徴とする請求項１に記載の折畳本。
【請求項３】
前記第１の折畳集合片部及び前記第２の折畳集合片部には、一列状に開いた状態において、その一列状に延在する方向の寸法の測定を可能にする目盛が設けられていることを特徴とする請求項１又は２に記載の折畳本。
【請求項４】
前記第１の折畳集合片部及び前記第２の折畳集合片部には、前記目盛に対応する位置に、所定の年齢の平均身長を示す表示が記載されていることを特徴とする請求項３に記載の折畳本。
【請求項５】
前記第１の折畳集合片部及び前記第２の折畳集合片部には、前記目盛に対応する位置に、当該目盛を用いて測定した身長に関するデータを記載することが可能な記録欄が設けられていることを特徴とする請求項３又は４に記載の折畳本。
【請求項６】
身長を測定する際に使用する直交する２辺を有する身長測定片を有し、
前記片部の何れかには、前記身長測定片を収容する凹部が設けられていることを特徴とする請求項１〜５の何れかに記載の折畳本。
【請求項７】
前記本の形状に折り畳んだ状態において外側に露出する面に連続的につながる前記各片部の面を表面とし、前記各片部における前記表面と反対側を向く面を裏面とした場合における前記第２の内装片部の表面には、少なくとも第１の内装片部の表面及び／又は裏面に記載された内容との関連性を有する内容が記載された関連性記載欄が設けられていることを特徴とする請求項１〜６の何れかに記載の折畳本。
【考案の詳細な説明】
【技術分野】
【０００１】
本考案は、各片部を折曲部を介して本の形状に折り畳んだり、例えば一列状に開いたりすることが可能な折畳本に関する。
【背景技術】
【０００２】
この種の折畳本としては、折曲部を介して連結された第１の表紙片部と背表紙片部と第２の表紙片部とを有すると共に、上記第１の表紙片部側に折曲部を介して順次連結され、本の形状に折り畳んだ際に第１の表紙片部と第２の表紙片部の間に収まる複数の内装片部を有するものが知られている（例えば特許文献１）。
【０００３】
また、一般に、一列状に配置された複数の各厚紙の表裏に印刷用の長尺の薄紙を貼り付けることによって、上述した第１の表紙片部等の各片部を構成すると共に、各片部の間に位置する薄紙によって折曲部を構成するようになっている。
【０００４】
上記のように構成された折畳本においては、折曲部により、各片部を本の形状に折り畳んだり、一列状等に開いたりすることができる。
【特許文献１】登録実用新案第３０８１０３９号公報
【考案の開示】
【考案が解決しようとする課題】
【０００５】
しかしながら、上記従来の折畳本においては、印刷用の薄紙の基となる用紙の大きさが規格化されていることから、その規格化された用紙の大きさによって、各片部の大きさや枚数が制限されることになる。例えば、片部の枚数が決まっている場合には、各片部として採用し得る最大の大きさは所定の規格の用紙の大きさによって決まることになる。
【０００６】
また、片部をより大きなものに変更しようとした場合には、より大きな用紙を用いることにより、より長い薄紙を得るか、もとの規格の用紙を例えば２枚用いて、それぞれの用紙から切り出したものを途中で連結することにより、より長い薄紙を得ることになる。
【０００７】
ただし、より大きな用紙を用いる場合には、そのような大きな用紙の規格が存在しない場合があり、その場合には意図する大きさの片部を作ることができず、よって折畳本を製作する上での自由度が制限されることになる。
【０００８】
一方、もとの規格の用紙を２枚用いる場合には、連結する部分において印刷の連続性が損なわれやすいことから、その連結部を印刷の連続性が多少損なわれても違和感の生じにくい背表紙片部の部位に対応させることになる。このため、一方の用紙から第２の表紙片部を除いた複数の片部に対応する薄紙部分を切り出し、他方の用紙から背表紙片部及び第２の表紙片部に対応する薄紙部分を切り出し、これらの薄紙部分を背表紙片部に対応する部分で連結することになる。
【０００９】
このため、一方の用紙からは、１枚の片部（第２の表紙片部）を除くことによって拡大することが可能な各片部に対応する薄紙部分を得ることができる。しかし、この場合でも、１枚の片部の寸法を背表紙片部を除く他の複数の片部に平均的に割り当てた寸法程度しか、各片部を拡大することができないので、当該各片部を十分に拡大することができず、よって、折畳本を製作する上での自由度がなお低い状態にあるという問題があった。
【００１０】
本考案は、上記事情に鑑みてなされたものであり、片部を十分に拡大することができるようにすることにより、製作上の自由度の向上を図ることのできる折畳本を提供することを課題としている。
【課題を解決するための手段】
【００１１】
上記課題を解決するために、請求項１に記載の考案は、一列状に配置された複数の厚紙と、これらの各厚紙を連結するようにして当該各厚紙の表裏に貼り付けられた印刷用の薄紙とを有し、前記各厚紙に対応する部分によって形成された各片部を前記各厚紙の間の前記薄紙によって形成された折曲部を介して本の形状に折り畳むことが可能に構成された折畳本であって、前記本の形状に折り畳んだ状態において背表紙の部位に位置する前記片部からなる背表紙片部と、一側縁部が前記背表紙片部の一側縁部に前記折曲部を介して連結され、前記本の形状に折り畳んだ状態において一の表紙の部位に位置する前記片部からなる第１の表紙片部と、この第１の表紙片部の他側縁部側に当該他側縁部から順次前記折曲部を介して連結され、前記本の形状に折り畳んだ状態において当該第１の表紙片部の内側に位置する前記片部からなる複数の第１の内装片部とを有する第１の折畳集合片部と、一側縁部が前記背表紙片部の他側縁部に前記折曲部を介して連結され、前記本の形状に折り畳んだ状態において前記一の表紙に対して反対側の他の表紙の部位に位置する前記片部からなる第２の表紙片部と、この第２の表紙片部の他側縁部に前記折曲部を介して連結され、前記本の形状に折り畳んだ状態において当該第２の表紙片の内側に位置する前記片部からなる第２の内装片部とを有する第２の折畳集合片部とを備えていることを特徴としている。
【００１２】
請求項２に記載の考案は、請求項１に記載の考案において、前記第１の折畳集合片部及び前記第２の折畳集合片部を一列状に開いた状態において、当該一列状に延在する方向の一方及び／又は他方の端部における当該方向に直交する幅方向の中央部に貫通孔が形成されていることを特徴としている。
【００１３】
請求項３に記載の考案は、請求項１又は２に記載の考案において、前記第１の折畳集合片部及び前記第２の折畳集合片部には、一列状に開いた状態において、その一列状に延在する方向の寸法の測定を可能にする目盛が設けられていることを特徴としている。
【００１４】
請求項４に記載の考案は、請求項３に記載の考案において、前記第１の折畳集合片部及び前記第２の折畳集合片部には、前記目盛に対応する位置に、所定の年齢の平均身長を示す表示が記載されていることを特徴としている。
【００１５】
請求項５に記載の考案は、請求項３又は４に記載の考案において、前記第１の折畳集合片部及び前記第２の折畳集合片部には、前記目盛に対応する位置に、当該目盛を用いて測定した身長に関するデータを記載することが可能な記録欄が設けられていることを特徴としている。
【００１６】
請求項６に記載の考案は、請求項１〜５の何れかに記載の考案において、身長を測定する際に使用する直交する２辺を有する身長測定片を有し、前記片部の何れかには、前記身長測定片を収容する凹部が設けられていることを特徴としている。
【００１７】
請求項７に記載の考案は、請求項１〜６の何れかに記載の考案において、前記本の形状に折り畳んだ状態において外側に露出する面に連続的につながる前記各片部の面を表面とし、前記各片部における前記表面と反対側を向く面を裏面とした場合における前記第２の内装片部の表面には、少なくとも第１の内装片部の表面及び／又は裏面に記載された内容との関連性を有する内容が記載された関連性記載欄が設けられていることを特徴としている。
【考案の効果】
【００１８】
請求項１に記載の考案によれば、第１の折畳集合片部が複数の片部によって構成され、第２の折畳集合片部が２枚の片部によって構成されているので、第１の折畳集合片部用の薄紙部分と第２の折畳集合片部用の薄紙部分とを背表紙片部に対応する部分で重なるようにして連結することにより、実質的に長尺となる薄紙を得ることができる。そして、この場合、その連結した部分が背表紙片部に対応する部分となるので、その連結部において印刷の連続性が多少損なわれることがあっても、違和感の生じにくいものに仕上げることができる。
【００１９】
しかも、第１の折畳集合片部用の薄紙部分を切り出すための用紙からは、第２の折畳集合片部側の２枚の片部を除くことによって拡大することが可能な各片部に対応する薄紙部分を得ることができる。この場合、２枚の片部の寸法を第１の折畳集合片部側における背表紙片部を除く複数の片部に平均的に割り当てた寸法程度まで、各片部を拡大することができるので、当該各片部としては十分な大きさに拡大することができる。
【００２０】
一方、第２の折畳集合片部用の薄紙部分を切り出すための用紙としては、背表紙片部及び第２の折畳集合片部の３枚の片部に対応する薄紙部分を得ることができる大きさのものであればよい。このため、各片部の大きさが用紙の大きさによって制限を受けることがほとんどない。即ち、第２の折畳集合片部側の各片部としては、十分に大きなものを得ることができる。
【００２１】
従って、規格によって用紙の大きさが制限される場合でも、各片部として十分に大なものを得ることができるので、製作上の自由度の向上を図ることができる。
【００２２】
請求項２に記載の考案によれば、第１の折畳集合片部及び第２の折畳集合片部を一列状に開いた状態において、当該一列状に延在する方向の一方及び／又は他方の端部における当該方向に直交する幅方向の中央部に貫通孔が形成されているので、その貫通孔を介して家屋内の柱等に設けた例えばフックに掛けることにより、全体が鉛直方向に一列状に吊下げられた状態になる。
【００２３】
そして、貫通孔が一方又は他方の端部に形成されている場合には、その貫通孔を有する側が上方に位置することになるので、その方向に合うような図形等の表示を各片部の表面や裏面に記載することにより、本として単にその表示を見る以上の視覚上の効果を得ることができる。
【００２４】
また、貫通孔が一方及び他方の双方の端部に形成されている場合には、一方の端部を上にして吊下げたり、他方の端部を上にして吊下げたりすることができるので、このように上下の方向を変えることにより見え方が異なるような図形等の表示を各片部の表面や裏面に記載することにより、視覚上の効果をより上げることができる。
【００２５】
更に、貫通孔が一列状に連なる方向の一方及び／又は他方の端部に設けられているので、本の形状に折り畳まれた状態においては、その貫通孔を有する片部が内装された状態になる。このため、本の状態に折り畳むことにより、その貫通孔が外に現れることがないので、当該貫通孔によって、本としての体裁が損なわれることがない。
【００２６】
請求項３に記載の考案によれば、第１の折畳集合片部及び第２の折畳集合片部に、一列状に延在する方向の寸法の測定を可能にする目盛が設けられているので、その目盛を用いて種々の物の寸法を測定することができる。
【００２７】
また、一列状に延在する方向が上下方向（鉛直方向）となるように、この第１の折畳集合片部及び第２の折畳集合片部を柱等に取り付けることにより、その目盛を用いて例えば子供の身長を測定することができる。なお、上述した貫通孔が設けられている場合には、当該貫通孔を介して柱等に設けたフックなどに掛けるだけで、上述した上下方向に延在させることができる。
【００２８】
請求項４に記載の考案によれば、第１の折畳集合片部及び第２の折畳集合片部における目盛に対応する位置に、所定の年齢の平均身長を示す表示が記載されているので、目盛を用いて測定した身長と、平均身長とを即座に比較することができる。例えば、子供の身長を測定すると共に、同年齢の平均身長と即座に比較することができるので極めて便利である。
【００２９】
請求項５に記載の考案によれば、第１の折畳集合片部及び第２の折畳集合片部における目盛に対応する位置に、当該目盛によって測定した身長に関するデータを記載する記録欄が設けられているので、例えば子供の成長過程を記録に残しておくことができる。また、所定の年齢の平均身長が記載されている場合には、その子供の同年代の平均身長と共に、子供の成長過程を残しておくことができる。
【００３０】
請求項６に記載の考案によれば、身長を測定する際に使用する直交する２辺を有する身長測定片を有すると共に、その身長測定片を収容する凹部が片部の何れかに設けられているので、身長を測定したいときはいつでも、その凹部から身長測定片を取り出して身長を測定することができる。しかも、身長を測定した後は身長測定片を再び凹部に収納することができるので、当該身長測定片が紛失するようなことも防止することができる。
【００３１】
請求項７に記載の考案によれば、第２の内装片部の表面に関連性記載欄が設けられているので、第２の内装片部を第２の表紙片部の内側に折り畳んだ状態のままで当該第２の表紙片部を開くことにより、当該第２の内装片部の表面に設けられた関連性記載欄を常に見ながら、少なくとも第１の内装片部の表面や裏面に記載された内容を見ることができる。このため、例えば第１の内装片部の表裏に種々の宝物を探すような内容のものを記載し、その各宝物の探索するために必須となるキーワード等を関連性記載欄に記載することにより、その本の内容を今までにない興味のわくものにすることができる。
【００３２】
また、第２の表紙片部及び第２の内装片部の裏面側を一列状に開くことにより、第２の内装片部の表面に設けた関連性記載欄はそのままでは見ることができない状態になる。このため、例えば第１の内装片部の表裏になぞなぞなどの各種の問題を記載し、その問題のヒントや答えを関連性記載欄に記載することにより、考える力を養いながら、正しい答えにたどり付くことができるようなものにすることができる。
【考案を実施するための最良の形態】
【００３３】
本考案を実施するための最良の形態としての一実施の形態について図面を参照しながら説明する。
【００３４】
この実施の形態で示す折畳本ＢＫは、折り畳み絵本として構成されたものであり、図１〜図５に示すように、複数の厚紙１の表裏に貼り付けられた長尺の印刷用の薄紙２ａ、２ｂによって一列状に配置された各厚紙１を連結し、各厚紙１の間に位置する薄紙２ａ、２ｂを折曲部２１とすると共に、前記各厚紙１に対応する部分を各片部とすることにより、当該各片部を各折曲部２１を介して本の形状に折り畳んだ状態（例えば図１（ｈ）や図５に示す状態）にしたり、例えば一列状に開いた状態（例えば図１（ａ）、（ｂ）に示す状態）にしたりすることが可能になっている。そして、この折畳本ＢＫは、複数の上記各片部によって構成された第１の折畳集合片部３と、同じく複数の上記各片部によって構成された第２の折畳集合片部４とを備えた構成になっている。
【００３５】
第１の折畳集合片部３は、背表紙片部３１と、第１の表紙片部３２と、複数の第１の内装片部３３ａ…３３ｆとを備えた構成になっている。
【００３６】
背表紙片部３１は、本の形状に折り畳んだ状態において背表紙の部位に位置する片部によって構成されている。
【００３７】
第１の表紙片部３２は、一側縁部が背表紙片部３１の一側縁部に折曲部２１を介して連結され、本の形状に折り畳んだ状態において一の表紙の部位に位置する片部によって構成されている。
【００３８】
第１の内装片部３３ａ…３３ｆは、第１の表紙片部３２の他側縁部側に当該他側縁部から順次折曲部２１を介して連結され、本の形状に折り畳んだ状態において第１の表紙片部３２の内側に位置する複数（この例では６枚）の片部によって構成されている。
【００３９】
第２の折畳集合片部４は、第２の表紙片部４１と、第２の内装片部４２とを備えた構成になっている。
【００４０】
第２の表紙片部４１は、一側縁部が背表紙片部３１の他側縁部に折曲部２１を介して連結され、本の形状に折り畳んだ状態において上記一の表紙に対して反対側の他の表紙の部位に位置する片部によって構成されている。
【００４１】
第２の内装片部４２は、一側縁部が第２の表紙片部４１の他側縁部に折曲部２１を介して連結され、本の形状に折り畳んだ状態において当該第２の表紙片４１の内側に位置する片部によって構成されている。
【００４２】
なお、背表紙片部３１は、図５に示すように、一の厚紙１（図５において符号１Ａで示す）に第１の表紙片部３２側の薄紙２ａ、２ｂを貼り付けたものと、他の厚紙１（図５において符号１Ｂで示す）に第２の表紙片部４１側の薄紙２ａ、２ｂを貼り付けたものを互いに重ねるようにして連結したもので構成されている。
【００４３】
また、折畳本ＢＫには、図１（ａ）及び図２に示すように、第１の折畳集合片部３及び第２の折畳集合片部４を一列状に開いた状態において、当該一列状に延在する方向の一方の端部における当該方向に直交する幅方向の中央部に貫通孔５１が形成されている。この例では、貫通孔５１は第２の内装片部４２における他側縁部近傍の幅方向の中央部に形成されている。
【００４４】
更に、第１の折畳集合片部３及び第２の折畳集合片部４の裏面には、図１（ａ）及び図２に示すように、一列状に開いた状態における幅方向の一方の側縁部に沿って、その一列状に延在する方向の寸法の測定を可能にする目盛５２が設けられている。なお、第１の折畳集合片部３及び第２の折畳集合片部４の表面とは、本の形状に折り畳んだ状態において外側に露出する面に連続的につながる各片部の一方の面をいい、裏面とは、前記表面と反対側を向く他方の面をいう。目盛５２は、一列状に延在する方向の他端から１ｍｍ間隔で刻まれた複数の線によって形成されており、その他端から一端に向けて測定する寸法の値が大きくなるようになっている。即ち、目盛５２は、他端が０ｍｍとなるように形成されている。
【００４５】
また、第１の折畳集合片部３及び第２の折畳集合片部４の裏面には、図２に示すように、目盛に対応する位置（即ち、目盛５２に沿う位置）に、当該目盛５２を用いて測定した身長との比較が可能なように所定の年齢の平均身長の表示５３が男女に分けて記載されている。
【００４６】
更に、第１の折畳集合片部３及び第２の折畳集合片部４には、目盛に対応する位置（即ち、目盛５２に沿う位置）に、当該目盛５２によって測定した身長に関するデータを記載する記録欄（データ記録欄）５４が設けられている。記録欄５４には、測定した身長の位置を示す線状の印５４ａや、被測定者の名前５４ｂや、測定した日付（年月日）５４ｃ等の各種データの記載可能になっている。
【００４７】
また、折畳本ＢＫは、身長を測定する際に使用する直交する第１の辺６ａと第２の辺６ｂとからなる２辺を有する身長測定片６を備えている。この身長測定片６は、外周縁がほぼ直角三角形状に形成されており、第１の辺６ａを各片部における目盛５２に対応する部分に当て、第２の辺６ｂを被測定者の頭部に当てることにより、その直交する角部６ｃで被測定者の身長の位置を特定し、その位置を記録欄５４に印５４ａによって記入することを可能にしている。また、身長測定片６は、図３に示すように、平面状の厚紙６１及びその表面に貼り付けられた印刷用の薄紙６２によって構成されており、その薄紙６２の表面は、後述する凹部４２ａに収容された状態において、第２の内装片部４２の裏面をなすように形成されている。
【００４８】
第２の内装片部４２には、図２及び図３に示すように、その裏面側に、身長測定片６を収容する凹部４２ａが設けられている。この凹部４２ａは、身長測定片６の外周縁にほぼ一致する形状の平面的な広がりを有すると共に、当該身長測定片６の厚さに相当する深さに形成されている。即ち、凹部４２ａは、身長測定片６における薄紙６２の表面が第２の内装片部４２の裏面と同一面状となるように、当該身長測定片６を収容すると共に保持するようになっている。また、凹部４２ａの一側縁部には、身長測定片６の取り出しを容易にする半円状の切欠４２ｂが形成されている。
【００４９】
また、第２の内装片部４２の表面には、図１（ａ）及び図２に示すように、第１の内装片部３３ａ…３３ｆの表面や裏面、あるいは第１の表紙片部３２、背表紙片部３１及び第２の表紙片部４１の裏面に記載された内容との関連性をもたせた関連性記載欄４２ｃが設けられている。なお、図１（ａ）及び図２は、第２の内装片部４２の裏面を示している。
【００５０】
なお、折曲部２１は、図４に示すように、例えば第１の表紙片部３２と、第１の内装片部３３ａとを平面状に延在するように開くことも、互いに重なるように畳むことも可能なように、十分な屈曲自在性を備えたものとなっている。
【００５１】
上記のように構成された折畳本ＢＫにおいては、第１の折畳集合片部３が複数（この例では８枚）の片部によって構成され、第２の折畳集合片部４が２枚の片部によって構成されているので、第１の折畳集合片部３用の薄紙２ａ、２ｂの部分と第２の折畳集合片部４用の薄紙２ａ、２ｂの部分とを背表紙片部３１に対応する部分で重なるようにして連結することにより、実質的に長尺となる薄紙２ａ、２ｂを得ることができる。そして、この場合、その連結した部分が背表紙片部３１に対応する部分であるので、その連結部の印刷の連続性が多少損なわれることがあっても、違和感の生じにくいものに仕上げることができる。
【００５２】
しかも、第１の折畳集合片部３用の薄紙２ａ、２ｂの部分を切り出すための用紙からは、第２の折畳集合片部４側の２枚の片部を除くことによって拡大することが可能な各片部に対応する薄紙２ａ、２ｂの部分を得ることができる。この場合、２枚の片部の寸法（上述した一列状に延在する方向の寸法）を第１の折畳集合片部３側における背表紙片部３１を除く複数（この例では７枚）の片部に平均的に割り当てた寸法の程度まで、各片部を拡大することができるので、当該各片部としては十分な大きさに拡大することができる。
【００５３】
一方、第２の折畳集合片部４の薄紙２ａ、２ｂの部分を切り出すための用紙としては、背表紙片部３１及び第２の折畳集合片部４の３枚の片部に対応する薄紙２ａ、２ｂの部分を得ることができる大きさのものであればよい。このため、各片部の大きさが用紙の大きさによって制限を受けることがほとんどない。即ち、第２の折畳集合片部４側の各片部としては、十分に大きなものを得ることができる。
【００５４】
従って、用紙の大きさが規格による制限を受ける場合でも、各片部として十分な大きさのものを得ることができるので、製作上の自由度の向上を図ることができる。
【００５５】
また、第１の折畳集合片部３及び第２の折畳集合片部４を一列状に開いた状態において、当該一列状に延在する方向の一方の端部における幅方向の中央部に貫通孔５１が形成されているので、その貫通孔５１を介して家屋内の柱等に設けた例えばフックに掛けることにより、全体を鉛直方向に一列状に吊下げた状態にすることができる。
【００５６】
そして、この場合、貫通孔５１を有する一方の端部側が上方に位置することになるので、このように一方の端部を上にして設置した場合に効果が出るような図形等の表示を各片部の表面や裏面に記載することにより、本として単にその表示を見る以上に、その視覚上の効果を上げることができる。
【００５７】
また、貫通孔５１が一列状に連なる方向の一方の端部に設けられているので、本の形状に折り畳んだ際には、その貫通孔５１が第２の表紙片部４１の内側に隠れた状態になる。このため、本の形状に折り畳んだ状態において、貫通孔５１が外に現れることがないので、当該貫通孔５１によって、本としての体裁が損なわれるのを防止することができる。
【００５８】
更に、第１の折畳集合片部３及び第２の折畳集合片部４に、その一列状に延在する方向の寸法の測定を可能にする目盛５２が設けられているので、その目盛５２を用いて種々の物の寸法を測定することができる。
【００５９】
また、貫通孔５１を介して柱等のフックに掛けることにより、一列状に延在する方向が上下方向（鉛直方向）となるので、その目盛を用いて例えば子供の身長を測定することができる。なお、この場合、他端が床面等の基準面に接した状態となるようにする。
【００６０】
そして、第１の折畳集合片部３及び第２の折畳集合片部４における目盛５２に対応する位置に、所定の年齢の平均身長の表示５３が記載されているので、目盛５２を用いて測定した身長と、平均身長とを即座に比較することができ、極めて便利である。
【００６１】
また、第１の折畳集合片部３及び第２の折畳集合片部４における目盛５２に対応する位置に、当該目盛５２によって測定した身長に関するデータを記載する記録欄５４が設けられているので、子供が成長した後も、その子供の成長過程を本の状態で残しておくことができる。しかも、所定の年齢の平均身長の表示５３が記載されていることから、その子供の同年代の平均身長と共に、子供の成長過程を残しておくことができるという利点がある。
【００６２】
更に、身長を測定する際に使用する直交する２辺６ａ、６ｂを有する身長測定片６を有すると共に、その身長測定片６を収容する凹部４２ａが第２の内装片部４２の裏面に設けられているので、身長を測定したいときはいつでも、その凹部４２ａから身長測定片６を取り出すことができる。しかも、測定した後はその身長測定片６を凹部４２ａに収納することができるので、当該身長測定片６が紛失するようなことも防止することができる。
【００６３】
また、第２の内装片部４２の表面に関連性記載欄４２ｃが設けられているので、第２の内装片部４２を第２の表紙片部４１の内側に折り畳んだ状態のままで当該第２の表紙片部４１を開くことにより、当該第２の内装片部４２の表面に設けられた関連性記載欄４２ｃを常に見ながら、少なくとも第１の内装片部３３ａ…３３ｆの表面や裏面の内容を見ることができる。このため、例えば第１の内装片部３３ａ…３３ｆの表裏に種々の宝物を探すような内容のものを記載し、その各宝物を探索するために必須キーワード等を関連性記載欄に記載することにより、今までにない興味のわくような本を提供することができる。
【００６４】
また、第２の表紙片部４１及び第２の内装片部４２の裏面を一列状に同時に開いた状態にすることにより、第２の内装片部４２の表面に設けた関連性記載欄４２ｃはそのままでは見ることができない状態になる。このため、例えば第１の内装片部３３ａ…３３ｆの表裏になぞなぞなどの各種の問題を記載し、その問題のヒントや答えを関連性記載欄４２ｃに記載することにより、考える力を養いながら、正しい答えにたどりつくことができるものにすることができる。
【００６５】
なお、上記実施の形態においては、背表紙片部３１として、図５に示すように、２枚の厚紙１Ａ、１Ｂを有するように構成した例を示したが、この背表紙片部３１としては、図６に示すように、一枚の厚紙１と、この厚紙１の表裏に貼り付けられた第１の折畳集合片部３側の薄紙２ａ、２ｂの部分及び第２の折畳集合片部４側の薄紙２ａ、２ｂの部分によって構成したものであってもよい。
【００６６】
また、貫通孔５１を一方の端部に設けた例を示したが、当該貫通孔５１を他方の端部に設けてもよく、また一方及び他方の双方の端部に設けてもよい。そして、双方の端部に設けた場合には、一方の端部を上にして吊下げたり、他方の端部を上にして吊下げたりすることができるので、このように上下の方向を変えることにより形状が異なった感覚を受けるような図形等の表示を各片部の表面や裏面に記載することにより、視覚上の効果を上げることができる。
【００６７】
また、他端を０ｍｍとする目盛５２を設けた例を示したが、この目盛５２としては、その他端を例えば４００ｍｍ等の所定の値とし、その値より大きな寸法の測定が可能なように構成してもよい。この場合には、他端が床面等の基準面から所定の値（例えば上記４００ｍｍ）となるように、当該折畳本ＢＫを柱等のフックに掛けることになる。
【図面の簡単な説明】
【００６８】
【図１】本考案の第１の実施の形態として示した折畳本を示す図であって、（ａ）は正面図、（ｂ）は（ａ）の平面図、（ｃ）は各片部について各折曲部で交互に異なる方向に折曲した状態を示す平面図、（ｄ）〜（ｇ）は各片部を本の形状に折り畳む途中の状態を示す平面図、（ｈ）は本の形状に折り畳んだ状態を示す平面である。
【図２】同折畳本を示す要部拡大正面図である。
【図３】同折畳本を示す図であって、図２のIII−III線に沿う断面図である。
【図４】同折畳本における折曲部を示す図であって、（ａ）は隣り合う片部を直線状に配した状態を示す要部拡大平面図、（ｂ）は隣り合う片部を互いに重なるように折曲した状態を示す要部拡大平面図である。
【図５】同折畳本における背表紙片部及びその近傍部分を示す要部拡大平面図である。
【図６】同折畳本における背表紙片部及びその近傍部分の他の例を示す要部拡大平面図である。
【符号の説明】
【００６９】
ＢＫ  折畳本
１  厚紙
２ａ、２ｂ  薄紙
３  第１の折畳集合片部
４  第２の折畳集合片部
６  身長測定片
６ａ  第１の辺
６ｂ  第２の辺
２１  折曲部
３１  背表紙片部
３２  第１の表紙片部
３３ａ…３３ｆ  第１の内装片部
４１  第２の表紙片部
４２  第２の内装片部
４２ａ  凹部４２ａ
４２ｃ  関連性記載欄
５１  貫通孔
５２  目盛
５３  平均身長の表示
５４  記録欄
【図１】
0003142634.tif 000003
【図２】
0003142634.tif 000004
【図３】
0003142634.tif 000005
【図４】
0003142634.tif 000006
【図５】
0003142634.tif 000007
【図６】
0003142634.tif 000008